(57)【要約】【課題】使用者がボウル面に近い位置まで近づき易くなり、使用者の尿が床に垂れて床を汚す汚垂れを生じさせにくくなり、使用者が不快な思いをすることを防ぐことができる小便器を提供する。【解決手段】本発明は、洗浄水によりボウル面８を洗浄する小便器１であって、小便を受けるボウル面８と、ボウル面８内の上方領域に設けられ、洗浄水をボウル面８の左右方向に広がるように吐水する吐水装置２８と、を有し、ボウル面８の吐水装置２８が設けられている上方領域は、使用者に対向する正面部８ａのみから形成され、この正面部８ａは左右方向に連続した凹曲面で形成されていることを特徴とする。【選択図】図１
2015190249.tif 000002
【特許請求の範囲】
【請求項１】
洗浄水によりボウル面を洗浄する小便器であって、
小便を受ける上記ボウル面と、
上記ボウル面内の上方領域に設けられ、洗浄水を上記ボウル面の左右方向に広がるように吐水する吐水装置と、を有し、
上記ボウル面の上記吐水装置が設けられている上方領域は、使用者に対向する正面部のみから形成され、この正面部は左右方向に連続した凹曲面で形成されていることを特徴とする小便器。
【請求項２】
上記吐水装置は、上記ボウル面の左右方向の斜め上方まで広がるように洗浄水を吐水するよう構成され、
上記ボウル面の上方領域の正面部は、上記ボウル面の上端から下方に向けて後方に向かって傾斜して形成されている請求項１に記載の小便器。
【請求項３】
上記ボウル面の上方領域の正面部は、上記ボウル面の上端から下方に向けて徐々に後退して形成されると共に、連続的に曲率半径が小さくなるように形成されている請求項１に記載の小便器。
【請求項４】
ボウル面は、下方に向かうにつれて左右両端部が前方に突出するように形成されている請求項１乃至３の何れか１項に記載の小便器。
【請求項５】
上記ボウル面が上記正面部のみから形成される上記上方領域が上記ボウル面の上端から少なくとも２００ｍｍの範囲で形成されている請求項１乃至４の何れか１項に記載の小便器。
【請求項６】
上記ボウル面の上方領域の上記正面部は、水平断面において、左右両端近傍の接線の前方側が外側に開くように形成されている請求項１乃至５の何れか１項に記載の小便器。
【発明の詳細な説明】
【技術分野】
【０００１】
本発明は、小便器に係り、特に、吐水装置から左右方向に広がるように吐水された洗浄水によりボウル面を洗浄する小便器に関する。
【背景技術】
【０００２】
従来から、例えば、特許文献１に記載されたような、ボウル面がボウル面の左右両端から前方に立ち上がる側面部を有し、このボウル面の上部においては、自動洗浄装置がボウル面から前方に突出するように配置されている小便器が知られている。このボウル面の正面部の中央にはスプレッダが設けられ、このスプレッダから洗浄水が吐水され、ボウル面を洗浄するようになっている。
【０００３】
また、例えば、特許文献２に記載されたような、ボウル面が、横断平面がほぼ真円の半円形のボウル面の左右両端において前方に立ち上がる側面部を有し、このボウル面の頂部においては、よどかけ式の吐水装置がボウル面から前方に突出するように配置されている小便器が知られている。このよどかけ式の吐水装置は、リム部、通水路及び吐水口を有し、洗浄水をボウル面の頂部から真下に流下させるようになっている。
【先行技術文献】
【特許文献】
【０００４】
【特許文献１】特開平１１−３２４０８４号公報
【特許文献２】特開平６−２８７９９１号公報
【発明の概要】
【発明が解決しようとする課題】
【０００５】
しかしながら、上述した特許文献１に示すような従来の小便器においては、ボウル面の上方に自動洗浄ユニットが配置され、且つ、ボウル面の左右両端から前方に立ち上がる側面部が形成されているので、使用者がボウル面に近づき難く、その結果、使用者は、ボウル面から離れた位置に立ち、用を足すことになるので、小便（尿）が床に垂れて床を汚す汚垂れを生じ易くなるという問題がある。また、スプレッダからの洗浄水の吐水が側面部を洗浄することができないため、不衛生となり、清掃に手間がかかるという問題がある。
【０００６】
また、特許文献２に示すような従来の小便器においては、側面部を洗浄するためには、リム部、通水路及び吐水口を有し、洗浄水を頂部から流下させる比較的大きな装置であるよどかけ式の吐水装置をボウル面の頂部から前方に突出するように設ける構造が必要とされるので、使用者がボウル面に近づき難く、その結果、使用者は、ボウル面から離れた位置に立ち、用を足すことになるので、小便（尿）が床に垂れて床を汚す汚垂れを生じ易くなるという問題がある。
【０００７】
本発明は、上述した問題を解決するためになされたものであり、使用者がボウル面に近い位置まで近づき易くなり、使用者の尿が床に垂れて床を汚す汚垂れを生じさせにくくなり、使用者が不快な思いをすることを防ぐことができる小便器を提供することを目的としている。
【課題を解決するための手段】
【０００８】
上記の目的を達成するために、本発明は、洗浄水によりボウル面を洗浄する小便器であって、小便を受ける上記ボウル面と、ボウル面内の上方領域に設けられ、洗浄水をボウル面の左右方向に広がるように吐水する吐水装置と、を有し、 ボウル面の吐水装置が設けられている上方領域は、使用者に対向する正面部のみから形成され、この正面部は左右方向に連続した凹曲面で形成されていることを特徴としている。
このように構成された本発明においては、ボウル面は、吐水装置が設けられている上方領域において、使用者に対向する正面部のみから形成され、この正面部は左右方向に連続した凹曲面で形成され、従来のボウル面の側面部が設けられていないので、従来に比べて使用者がボウル面に近い位置まで近づきやすくすることができる。従って、使用者の尿が床に垂れて床を汚す汚垂れを生じさせにくくなり、使用者が不快な思いをすることを防ぐことができる。
また、ボウル面が、吐水装置が設けられている上方領域において、使用者に対向する正面部のみから形成され、この正面部は左右方向に連続した凹曲面で形成され、吐水により洗えない部分を生じていた従来のボウル面の側面部が設けられていないので、ボウル面の清掃性を向上させることができる。
また、左右方向に連続した凹曲面を有する正面部により、吐水装置からボウル面の左右方向に広がるように吐水される洗浄水が、ボウル面の外部へ飛び出すことを防止することができる。
【０００９】
本発明において、好ましくは、吐水装置は、ボウル面の左右方向の斜め上方まで広がるように洗浄水を吐水するよう構成され、ボウル面の上方領域の正面部は、ボウル面の上端から下方に向けて後方に向かって傾斜して形成されている。
このように構成された本発明においては、左右方向の斜め上方まで広がるように吐水された洗浄水が、下方に向けて後方に向かって傾斜するボウル面の正面部に沿って流下するので、左右方向の斜め上方へ向かう洗浄水の勢いを弱めて、洗浄水の左右方向の広がりを抑制することができ、洗浄水がボウル面の外部へ飛び出すことを防止することができる。したがって、ボウル面を広範囲にわたって洗浄することができると共に、洗浄水の飛び出しを防止できる。
【００１０】
本発明において、好ましくは、ボウル面の上方領域の正面部は、ボウル面の上端から下方に向けて徐々に後退して形成されると共に、連続的に曲率半径が小さくなるように形成されている。
このように構成された本発明においては、ボウル面の上方領域の正面部は、ボウル面の上端から下方に向けて徐々に後退して形成されると共に、連続的に曲率半径が小さくなるように形成されているので、下方に向かうにつれて徐々にボウル面の左右方向の幅が小さくなり、従来に比べて使用者がボウル面に近い位置に近づきやすくなり、使用者の尿が床に垂れて床を汚す汚垂れを生じさせにくくなり、使用者が不快な思いをすることを防ぐことができる。
また、ボウル面の上方領域の正面部は、ボウル面の上端から下方に向けて徐々に後退して形成されると共に、連続的に曲率半径が小さくなるように形成されているので、使用者の局部を、周囲の他人からより見えにくくすることができる。
【００１１】
本発明において、好ましくは、ボウル面は、下方に向かうにつれて左右両端部が前方に突出するように形成されている。
このように構成された本発明においては、使用者の尿が当たりやすいボウル面の下方において、ボウル面の外部への尿跳ねをより確実に防止することができる。
また、ボウル面の左右両端部が前方に突出するように形成されているので、使用者の局部を、周囲の他人から見えにくく遮蔽することができる。
【００１２】
本発明において、好ましくは、ボウル面が正面部のみから形成される上方領域がボウル面の上端から少なくとも２００ｍｍの範囲で形成されている。
このように構成された本発明においては、ボウル面は、ボウル面の上端から少なくとも２００ｍｍの範囲において、正面部のみから形成されるので、特に使用者の局部を把持する手や腕が、従来のようにボウル面の側面部に接触することがないため、従来に比べて使用者がボウル面の正面部に近い位置に近づきやすくなっている。
【００１３】
本発明において、好ましくは、ボウル面の上方領域の正面部は、水平断面において、左右両端近傍の接線の前方側が外側に開くように形成されている。
このように構成された本発明においては、ボウル面の上方領域の正面部は、水平断面において、左右両端近傍の接線の前方側が外側に開くように形成されているので、使用者が、自身の体の前側をボウル面の左右両端に接触することなく、ボウル面の正面部に近づけやすくなっている。
【発明の効果】
【００１４】
本発明の小便器によれば、使用者がボウル面に近い位置に近づき易くなり、使用者の尿が床に垂れて床を汚す汚垂れを生じさせにくくなり、使用者が不快な思いをすることを防ぐことができる。
【図面の簡単な説明】
【００１５】
【図１】本発明の実施形態による小便器を示す全体斜視図である。
【図２】図１の小便器の正面図である。
【図３】図１の小便器の側面図である。
【図４】図２のIV-IV線に沿って見た縦断面図である。
【図５】図１の小便器の平面図である。
【図６】本発明の実施形態による小便器のスプレッダをボウル面に取付けた状態を側方から示す概略図である。
【図７】本発明の実施形態による小便器のスプレッダをボウル面に取付けた状態において、左右方向の中央よりわずかに左側にずれた位置における前後方向の縦断面を示す縦断面図である。
【図８】本発明の実施形態による小便器の自動便器洗浄ユニットの流路の構成を示す概略図である。
【図９】図６のIX-IX線に沿って見た断面図である。
【図１０】図６のX-X線に沿って見た断面図である。
【図１１】図２のXI-XI線に沿って見た断面図である。
【図１２】図２のXII-XII線に沿って見た断面図である。
【図１３】図２のXIII-XIII線に沿って見た断面図である。
【図１４】図２のXIV-XIV線に沿って見た断面図である。
【発明を実施するための形態】
【００１６】
添付図面を参照して、本発明の実施形態による小便器を説明する。先ず、図１乃至図５により小便器の基本構造を説明する。図１は本発明の実施形態による小便器を示す全体斜視図であり、図２は図１の小便器の正面図であり、図３は図１の小便器の側面図であり、図４は図２のIV-IV線に沿って見た縦断面図であり、図５は図１の小便器の平面図である。
【００１７】
図１乃至図５に示すように、符号１は、本発明の実施形態による小便器を示し、この小便器１は、陶器製の小便器本体２と、この小便器本体２を洗浄するための自動便器洗浄ユニット４（図２及び図３に図示され、他の図面においては省略する）を備えている。小便器１は自身の最下部が床面から浮かされた状態となるように背後の壁面に沿って取付けられる壁掛け式の小便器であるが、小便器１は床面上に直接配置される床置き式の小便器であってもよい。
【００１８】
小便器１の小便器本体２は、上方端に上述した自動便器洗浄ユニット４を収納するための収納室６（図２及び図３に概略により図示され、他の図面においては省略する）と、この収納室６の前面７から下方に延びるボウル面８と、このボウル面８の底部に形成された排出口１０とを備えている。
【００１９】
収納室６は、小便器本体２と別体である蓋３により形成されている。また、収納室６の前面７は、詳細は後述するように、後方に向かって傾斜して形成されている。また、排出口１０には、目皿板１２が配置されている。さらに、排出口１０は、下流側に配置された排水トラップ管路（図示せず）及び排水配管（図示せず）に接続されている。
【００２０】
次に、図２乃至図１０により、自動便器洗浄ユニット４について説明する。図６は本発明の実施形態による小便器のスプレッダをボウル面に取付けた状態を側方から示す概略図であり、図７は本発明の実施形態による小便器のスプレッダをボウル面に取付けた状態において、左右方向の中央よりわずかに左側にずれた位置における前後方向の縦断面を示す縦断面図であり、図８は本発明の実施形態による小便器の自動便器洗浄ユニットの流路の構成を示す概略図であり、図９は図６のIX-IX線に沿って見た断面図であり、図１０は図６のX-X線に沿って見た断面図である。図６及び図７のボウル面８は下部が後方側に向かって若干傾斜している状態である。
【００２１】
自動便器洗浄ユニット４は、水道等の給水源から洗浄水を供給する主給水管１４と、
主給水管１４から分岐される第１給水管１６と、主給水管１４から分岐される第２給水管１８と、第１給水管１６に設けられる第１流量調整装置２０と、第１給水管１６に取り付けられ給水の供給及び停止を行う第１開閉弁２２と、第２給水管１８に設けられる第２流量調整装置２４と、第２給水管１８に取り付けられ給水の供給及び停止を行う第２開閉弁２６と、第１給水管１６及び第２給水管１８の先端に取り付けられた吐水部であるスプレッダ２８と、使用者の有無を検知する人体検知センサ３０と、人体検知センサ３０からの検知信号及び所定の制御プログラム等に基づいて第１開閉弁２２、第２開閉弁２６等を制御することができる制御ユニット３２と、を備えている。
【００２２】
第１流量調整装置２０は、第１給水管１６内を通過する洗浄水を適正な一定流量に調整することができる定流量弁である。第１流量調整装置２０は、流量センサ等を使用して洗浄水を適正な流量に調整することができる他の装置により構成されてもよい。第１流量調整装置２０は、制御ユニット３２により制御されるように構成されてもよい。第１流量調整装置２０は、後述する下流側の第１供給通路３８に供給する洗浄水の瞬間流量を、比較的高い瞬間流量の範囲、例えば、８〜１７L/minの範囲、好ましくは１１〜１３L/minの範囲に調整するようになっている。
第１開閉弁２２は、制御ユニット３２の制御信号により第１給水管１６の流路を開閉する電磁弁である。第１開閉弁２２は、給水の供給及び停止を行うことができる他の流路開閉装置により構成されてもよい。
【００２３】
第２流量調整装置２４は、第２給水管１８内を通過する洗浄水を適正な一定流量に調整することができる定流量弁である。第２流量調整装置２４は、流量センサ等を使用して洗浄水を適正な流量に調整することができる他の装置により構成されてもよい。第２流量調整装置２４は、制御ユニット３２により制御されるように構成されてもよい。第２流量調整装置２４は、後述する下流側の第２供給通路４０に供給する洗浄水の瞬間流量を、比較的低い瞬間流量の範囲、例えば、２〜８L/minの範囲、好ましくは５〜７L/minの範囲に調整するようになっている。
第２開閉弁２６は、制御ユニット３２の制御信号により第２給水管１８の流路を開閉する電磁弁である。第２開閉弁２６は、給水の供給及び停止を行うことができる他の流路開閉装置により構成されてもよい。
【００２４】
上述した図１０に示す本実施形態においては、自動便器洗浄ユニット４は、第１給水管１６に取り付けられ給水の供給及び停止を行う第１開閉弁２２と、第２給水管１８に取り付けられ給水の供給及び停止を行う第２開閉弁２６とを備え、制御ユニット３２が第１開閉弁２２を開閉して第１供給通路３８への洗浄水の供給開始及び停止を制御し、第２開閉弁２６を開閉して第２供給通路４０への洗浄水の供給開始及び停止を制御している。
しかしながら、本実施形態においては、変形例として、自動便器洗浄ユニット４は、上述した第１開閉弁２２及び第２開閉弁２６に代えて、主給水管１４と第１給水管１６及び第２給水管１８との分岐箇所に３方切換弁等の切換弁を設けるようにしてもよい。具体的には、主給水管１４と第１給水管１６及び第２給水管１８との分岐箇所に設けられた切換弁を、制御ユニット３２によって制御することにより、第１給水管１６並びに第１供給通路３８への洗浄水の供給開始及び停止、第２給水管１８並びに第２供給通路４０への洗浄水の供給開始及び停止、をそれぞれ独立して制御することができる。他の変形例として、自動便器洗浄ユニット４は、上述した第１開閉弁２２及び第２開閉弁２６に代えて、第１給水管１６並びに第１供給通路３８への洗浄水の供給開始及び停止、第２給水管１８並びに第２供給通路４０への洗浄水の供給開始及び停止、をそれぞれ独立して制御することができる他の弁構造及びこれらの組合せ構造を有していてもよい。
【００２５】
人体検知センサ３０は、小便器１の前方の使用者の有無及び使用者までの距離を検知する赤外線式のセンサである。この人体検知センサ３０により使用者が用を足して小便器１から所定距離離れたことを検知した場合に、制御ユニット３２から操作信号が発信され、この操作信号により、第２開閉弁２６が開となり、第２給水管１８からスプレッダ２８に洗浄水が供給され、小便器１のボウル面８が洗浄されるようになっている。なお、人体検知センサ３０は、赤外線式のセンサに限定されず、隠蔽可能な電波式センサ（マイクロ波センサ）であっても良い。
制御ユニット３２は、人体検知センサ３０の使用者の有無の検知結果を受けて、第２開閉弁２６を開閉させる制御を行う他、予め設定された所定時間、例えば２時間等の時間が経過するごとに、制御ユニット３２から操作信号が発信され、この操作信号により、第１開閉弁２２を開状態とする制御を行う。これにより、洗浄水が、第１給水管１６からスプレッダ２８に供給され、小便器１のボウル面８が洗浄され、排出口１０の下流側に配置された排水トラップ（図示せず）及び排水管路（図示せず）内の雑菌の繁殖を抑制し、尿石等の付着を抑制する設備保護洗浄を行えるようになっている。
【００２６】
次に、図６乃至図１０により、スプレッダ２８の詳細構造を説明する。
図６等に示すように、この自動便器洗浄ユニット４において、スプレッダ２８が、小便器本体２の正面部８ａの収納室６の前面７に取り付けられている。
スプレッダ２８は、洗浄水をボウル面８のほぼ中央領域に向けて吐水する第１吐水口部３４と、第１吐水口部３４よりも後方側に配置され、洗浄水をボウル面８のほぼ中央領域より広範囲の左右領域に広がるように吐水する第２吐水口部３６と、第１吐水口部３４に洗浄水を供給する第１供給通路３８と、第２吐水口部３６に洗浄水を供給する第２供給通路４０と、を備えている。
【００２７】
第１供給通路３８は、第１給水管１６の先端に接続され、第２供給通路４０とは独立した通水路を形成している。第１供給通路３８は、比較的高い瞬間流量の洗浄水を第１吐水口部３４に供給する。第２供給通路４０は、第２給水管１８の先端に接続され、第１供給通路３８とは独立した通水路を形成している。第２供給通路４０は、比較的低い瞬間流量の洗浄水を第２吐水口部３６に供給する。
【００２８】
第１吐水口部３４は、その第１吐水口部３４の左右両端を形成する第１吐水口上壁３４ａと、その第１吐水口部３４の前側の壁面を形成する第１吐水口前壁３４ｂと、その第１吐水口部３４の後側の壁面を形成する第１吐水口後壁３４ｃとを備えている。第１吐水口部３４は、スプレッダ２８の下部の、左右の第１吐水口上壁３４ａとの間において、第１吐水口前壁３４ｂと第１吐水口後壁３４ｃとの間の扇形の第１開口通路３４ｄを形成している。
第１吐水口部３４は、鉛直下方から左右対称におよそ４０°の位置に第１吐水口上壁３４ａが形成されている。従って、左右の第１吐水口上壁３４ａの間の角度Ａ１は約８０°に形成されている。左右の第１吐水口上壁３４ａの間の角度Ａ１は、例えば、５０°〜１２０°の範囲、好ましくは６０°〜９０°の範囲に形成されている。第１吐水口上壁３４ａは、第１吐水口部３４の開口通路３４ｄの上端を形成するので、第１吐水口部３４から吐水される洗浄水が左右の第１吐水口上壁３４ａに沿って吐水され、第１吐水口部３４から吐水される洗浄水の広がりの上縁を規制している。また、第１吐水口上壁３４ａは、水平より下方向きに延びているので、第１吐水口部３４から流出する洗浄水の単位面積あたりの瞬間流量が増大される場合にも、洗浄水の左右方向への広がりを抑制することができる。
【００２９】
第２吐水口部３６は、第２吐水口部３６の上端を形成する第２吐水口上壁３６ａと、その第２吐水口部３６の中央下端に延びる第２吐水口垂下壁３６ｅと、第２吐水口部３６の前側の壁面を形成する第２吐水口前壁３６ｂと、第２吐水口部３６の後側の壁面を形成する第２吐水口後壁３６ｃとを備えている。
第２吐水口部３６は、左右の第２吐水口上壁３６ａの間において、共通の第２吐水口前壁３６ｂと第２吐水口後壁３６ｃとの間のスプレッダ２８の下部において概ね扇形の第２開口通路３６ｄを形成している。
【００３０】
第２吐水口部３６は、鉛直下方から左右対称に約１１５°の位置に第２吐水口上壁３６ａが形成されている。従って、左右の第２吐水口上壁３６ａの間の角度Ａ２は約２３０°に形成されている。左右の第２吐水口上壁３６ａの間の角度Ａ２は、例えば、１９０°〜２５０°の範囲、好ましくは２１０°〜２３０°の範囲に形成されている。第２吐水口上壁３６ａは、第２吐水口部３６の第２開口通路３６ｄの上端を形成するので、第２吐水口部３６から吐水される洗浄水が左右の第２吐水口上壁３６ａに沿って吐水され、第２吐水口部３６から吐水される洗浄水の広がりの上縁を決定している。第２吐水口上壁３６ａは、水平より上方向きに延びているので、第２吐水口部３６から第２吐水口上壁３６ａに沿って流出する洗浄水の上縁は、スプレッダ２８から斜め上方に上昇するように吐水される。
第２吐水口部３６は、左右の第２吐水口上壁３６ａの間の領域にわたって拡散するように洗浄水を吐水することができ、左右斜め上方から左右方向の左右両端近傍まで広がる水幕を形成することができる。
【００３１】
次に、図１乃至図５、図１１乃至図１４により、小便器１の小便器本体２の詳細構造を説明する。
図１１は図２のXI-XI線に沿って見た断面図であり、図１２は図２のXII-XII線に沿って見た断面図であり、図１３は図２のXIII-XIII線に沿って見た断面図であり、図１４は図２のXIV-XIV線に沿って見た断面図である。
【００３２】
先ず、図２及び図３に示すように、本実施形態による小便器１は、自動便器洗浄ユニット４が小便器本体２の上方端に形成された収納室６内に収納されたタイプの小便器である。本実施形態においては、このようなタイプの小便器１において、小便器本体２の収納室６の前面７がボウル面８と連続し且つ後方に向かって傾斜して形成されている。小便器本体２において、収納室６の前面７は、ボウル面８と一体構造となっている。さらに、収納室６の前面７は、ボウル面８の上方側と連続して形成され、さらに、後方に向かって傾斜して形成されている。ここで、収納室６の前面７とボウル面８の「連続」は、収納室６の前面７とボウル面８が、面一に、又は、ほぼ面一に形成されていることを意味している。また、完全な面一である必要はなく、例えば、小さな段差があってもよく、収納室６の前面からボウル面８へと流れる洗浄水が剥離することがなければ良い。
【００３３】
ボウル面８は、その上部から下部まで、前面が使用者に対向するように開いた円弧形状（アーチ形状）の正面部８ａを有している。ボウル面８は、ボウル面８のうち、スプレッダ２８が設けられている上方領域において、従来のようなボウル面から前方に壁状に突出する側面部が設けられておらず、正面部８ａのみから形成されている。このような正面部８ａは自身の曲面の接線の垂線が小便器本体２の前方に立っている使用者に向かう方向に延びるような前向きの曲面を形成している。
【００３４】
ボウル面８の正面部８ａは、左右方向に連続した凹曲面で形成されている。この正面部８ａは、使用者の胴体の曲面を受け入れやすいように使用者の胴体の曲面に沿うような湾曲面である。ボウル面８の正面部８ａのみから形成されている上方領域は、平面視において、ボウル面８の左側端部８ｂから右側端部８ｃまで１つの曲率半径Ｒで描かれる１つの円弧（曲率半径Ｒが途中で概ね変化しないような１つの円弧であり、シングルＲと称される円弧）に沿って形成され、その弧の中央部が後方側に配置されているシングルＲ領域８ｇを形成している。すなわち、シングルＲ領域８ｇにおいては曲面がほぼ単一の曲率半径Ｒを有するほぼ単一の円弧形状により形成されている。このシングルＲ領域８ｇにおいては、ボウル面８の上端８ｄから下方に向かうにつれて、円弧の曲率半径が徐々に減少するように形成され、曲率が徐々に増大するように形成され、下方に向かうにつれて徐々にボウル面８の左右方向の幅が小さくなるように形成されている。ボウル面８のシングルＲ領域８ｇは、少なくともボウル面８の上端から２００ｍｍの範囲、好ましくは上端から３００ｍｍの範囲の領域において形成されている。
ボウル面８のシングルＲ領域８ｇよりさらに下方の領域は、２種類の曲率半径Ｒを有する円弧の組み合わせ、又は円弧と直線との組み合わせによる複合的な形状部分である複合Ｒ領域８ｈを形成している。
【００３５】
具体的には、図１１に示すように、ボウル面８は、シングルＲ領域８ｇにおける、ボウル面８の上端８ｄからの距離Ｌ１（Ｌ１＝１５０ｍｍ）の位置、すなわち収納室６の前面７且つスプレッダ近傍の高さ位置において、平面視で、大きな曲率半径である曲率半径Ｒ１（Ｒ１＝３００ｍｍ）による単一の曲率半径の円弧により形成される正面部８ａにより形成されている。
図１２に示すように、ボウル面８は、シングルＲ領域８ｇにおける、ボウル面８の上端８ｄからの距離Ｌ２（Ｌ２＝３００ｍｍ）の位置において、平面視で、曲率半径Ｒ１よりも小さな曲率半径である曲率半径Ｒ２（Ｒ２＝２００ｍｍ）による単一の曲率半径の円弧により形成される正面部８ａにより形成されている。
シングルＲ領域８ｇにおける正面部８ａの曲率半径は、例えば、２００〜５００ｍｍの範囲、好ましくは２００〜４００ｍｍの範囲に設定されるようになっている。このような範囲とすることで、使用者の局部を把持する手や腕が、ボウル面に接触することを抑制できるため、使用者が用足し時に小便器に近づきやすくなり、結果として尿垂れにより床を汚してしまうという事態の発生を抑制することができる。
【００３６】
ボウル面８は、複合Ｒ領域８ｈにおける、ボウル面８の上端８ｄからの距離Ｌ３（Ｌ３＝４５０ｍｍ）の位置においては、平面視で、２種類の曲率半径を有する円弧を組み合わせた複合的な円弧形状を有している正面部８ａにより形成されている。
ボウル面８は、さらに下部の複合Ｒ領域８ｈにおいては、左側端部８ｂと右側端部８ｃとが前方に延び、中央部８ｅが後方側に後退し、例えば、ボウル面８の上端８ｄからの距離Ｌ４（Ｌ４＝５００ｍｍ）の位置においては、平面視で、使用者に向かう方向に開くような円弧形状部分８ｉ（正面部８ａ）とその両側で使用者に向かって突出する直線部分８ｊ（側面部８ｋ）とにより形成されている。
ボウル面８は、上端８ｄからの距離Ｌ４の位置より下方の領域においては、正面部８ａと使用者に向かって突出する側面部８ｋとを有している。
【００３７】
ボウル面８は、その上部側の高さ、特にシングルＲ領域８ｇ内の高さ、例えばスプレッダ２８近傍の高さにおいて、図１１に示すように、左側端部８ｂ近傍のボウル面８の水平断面の接線Ｌが前方側が外側に開くように形成され、同様に、右側端部８ｃ近傍のボウル面８の水平断面の接線Ｌが前方側が外側に開くように形成されている。
【００３８】
ボウル面８は、ある水平断面において、左側端部８ｂと右側端部８ｃとが中央部８ｅよりも前方に突出するように配置されている。さらに、ボウル面８は、下方に向かうにつれて、左側端部８ｂと右側端部８ｃとが徐々に前方に突出するように配置されている。左側端部８ｂと右側端部８ｃとが中央部８ｅよりも前方に突出するように配置されているので、小便器１の使用中の使用者が、自身の局部を、周囲の他者（隣の小便器の使用者等）から見えにくく遮蔽することができる。
また、ボウル面８の正面部８ａは、ボウル面８の上端８ｄから下方に向けて後方に向かって傾斜して形成されている。従って、その正面部８ａの中央部８ｅは、上端８ｄから下方に向けて徐々に後退するように奥側に形成されている。
また、スプレッダ２８が中央部８ｅにやや後方側に配置されているので、使用者が正面部８ａに近づきやすくなっている。
【００３９】
ボウル面８は、下部においては、左側端部８ｂと右側端部８ｃとが先端８ｆに向かって前方に突出されている。ボウル面８の上部においては使用者がボウル面８に近づけるようになっているのに対し、ボウル面８下部の先端８ｆが使用者側に突出しているので、使用者の尿が床に垂れて床を汚す汚垂れを生じさせにくくなっている。ボウル面８の下部は、その下方側において、流下する洗浄水を集めて排出口１０に導くように形成されている。
【００４０】
次に、本発明の実施形態による小便器の動作を説明する。
先ず、本発明の実施形態による小便器１による小便洗浄動作の流れを説明する。
通常、使用者が小便器１の前に立つと、人体検知センサ３０が使用者の存在を検出して検出情報を制御ユニット３２に送り、制御ユニット３２は使用者の存在を認識する。使用者が小便器１のボウル面８に放尿を終え、放尿を済ませた使用者が小便器１の前から立ち去り、人体検知センサ３０が非検出状態となると、制御ユニット３２は使用者が小便器１から立ち去ったと判断して、制御ユニット３２が小便洗浄を開始する。
【００４１】
制御ユニット３２は、小便洗浄動作においては、第２開閉弁２６に制御信号を送って第２開閉弁２６を開き、主給水管１４から供給される洗浄水を第２給水管１８から第２供給通路４０に供給させる。このとき、第２供給通路４０に供給される洗浄水の単位面積あたりの瞬間流量は、第２流量調整装置２４により上述の比較的低い瞬間流量の範囲に調整される。後述するように、１つの主給水管１４から、互いに異なる瞬間流量の洗浄水を供給する第１給水管１６及び第２給水管１８を通過して洗浄水がボウル面８に供給されることになる。第２供給通路４０に供給された洗浄水は、第２吐水口部３６において、第２吐水口前壁３６ｂに衝突するようにして拡散され、左右の第２吐水口上壁３６ａの間に広がるように流れる。第２吐水口部３６から吐水される洗浄水は、左右方向においては、左右の第２吐水口上壁３６ａの間から、上方まで広がるように吐出され、前後方向においては、第２吐水口前壁３６ｂと第２吐水口後壁３６ｃとの間からさらに後方側のボウル面８に向かって後方に吐出されている。図１及び図１２において、第２吐水口部３６から吐水される洗浄水の流れを矢印Ａによって示す。第２吐水口部３６内において上部の洗浄水は、水平から上り傾斜している第２吐水口上壁３６ａに沿って、左右斜め上方に上昇するように吐水される。
【００４２】
左右の第２吐水口上壁３６ａの間の角度は比較的大きく形成されているので、第２吐水口部３６から吐水される洗浄水は、ボウル面８の左右上方から中央下方まで広範囲に吐水される。また、第２吐水口部３６から吐水される洗浄水は、スプレッダ２８の左右斜め上方側の左右領域並びに、ボウル面８の中央領域より広範囲の左右領域まで広範囲にわたって洗浄することができる。このとき、第２吐水口部３６から吐水される洗浄水は、上端８ｄから下方に向けて後方に向かって傾斜して形成されているボウル面８の正面部８ａに沿って流下され、左右方向の斜め上方へ向かう洗浄水の勢いが弱められ、さらに、洗浄水の左右方向の広がりが抑制されることができ、洗浄水がボウル面８の外部へ飛び出すことを防止されている。第２吐水口部３６から吐水される洗浄水は、比較的低い瞬間流量の洗浄水であるので、洗浄水がボウル面８の左右両端近傍まで到達して洗浄を行う一方、ボウル面８の左右両端を超えて外部に流出することなく、ボウル面８の左側端部８ｂ及び右側端部８ｃの両端近傍領域を洗浄しながら流下することができる。
【００４３】
このように、スプレッダ２８の第２吐水口部３６から吐水される洗浄水は、スプレッダ２８から放射状方向に、ボウル面８の面上を洗浄できない部分を生じさせないように広く広がるように流れ、ボウル面８を流下しながらボウル面８全体の良好な洗浄を行うことができる。洗浄水は、ボウル面８を流下し排出口１０より排出され、この下流の排水トラップ管路（図示せず）を通過し、さらに下流の排水配管（図示せず）に向かって流れる。
スプレッダ２８の第２吐水口部３６からの所定の瞬間流量の吐水が一定時間継続されると、制御ユニット３２は、第２開閉弁２６を閉止して、スプレッダ２８からの吐水を終了させ、小便洗浄動作を終了させる。
【００４４】
次に、本発明の実施形態による小便器１による設備保護洗浄動作の流れを説明する。
制御ユニット３２は、小便洗浄動作とは別に、設備保護洗浄動作を行う。
制御ユニット３２は、前回の設備保護洗浄が行われてから一定の経過時間が経過していること（例えば、前回の設備保護洗浄が行われてから２時間の経過時間が経過していること）の他、小便器１の使用回数が一定期間に一定回数に達していること等の使用条件を満たす場合に、設備保護洗浄動作を開始する。
【００４５】
制御ユニット３２は、設備保護洗浄動作において、第１開閉弁２２に制御信号を送って第１開閉弁２２を開き、主給水管１４から供給される洗浄水を第１給水管１６から第１供給通路３８に供給させる。このとき、第１供給通路３８に供給される洗浄水の瞬間流量は、第１流量調整装置２０により上述の比較的高い瞬間流量の範囲に調整される。図１及び図１１に示すように、第１吐水口部３４から吐水される洗浄水の流れを矢印Ｂによって示す。左右の第１吐水口上壁３４ａの間の角度は比較的小さく形成されているので、第１吐水口部３４から吐水される洗浄水は、ボウル面８の中央付近の比較的狭い範囲に吐水される。従って、第１吐水口部３４から吐水される洗浄水は、比較的高い瞬間流量の洗浄水であるにもかかわらず、洗浄水がボウル面８の左側端部８ｂ及び右側端部８ｃの両端を超えて外部に流出することなく、ボウル面８の中央周辺の領域を洗浄しながら流下することができる。このように、第１吐水口部３４から吐水される比較的高い瞬間流量の洗浄水が、排出口１０に流入する。比較的高い瞬間流量の洗浄水が、排出口１０の下流の排水トラップ管路（図示せず）を通過し、さらに下流の排水配管（図示せず）に向かって流れるので、水かさが上昇した洗浄水が、排水トラップ管路及び排水配管を洗浄しながら流れ、これら配管内の尿の排出及び陰毛等の異物を除去し、さらに尿石や異物を洗い流せ、バクテリアの増殖を抑制し、尿石の付着（発生）を抑制することができる。
【００４６】
次に、上述した本発明の実施形態による小便器の作用効果を説明する。
上述した本実施形態による小便器１によれば、ボウル面８は、スプレッダ２８が設けられている上方領域において、使用者に対向する正面部８ａのみから形成され、この正面部８ａは左右方向に連続した凹曲面で形成され、従来のボウル面の側面部が設けられていないので、従来に比べて使用者がボウル面８に近い位置まで近づきやすくすることができる。従って、使用者の尿が床に垂れて床を汚す汚垂れを生じさせにくくなり、使用者が不快な思いをすることを防ぐことができる。
また、ボウル面８が、スプレッダ２８が設けられている上方領域において、使用者に対向する正面部８ａのみから形成され、この正面部８ａは左右方向に連続した凹曲面で形成され、吐水により洗えない部分を生じていた従来のボウル面の側面部が設けられていないので、ボウル面８の清掃性を向上させることができる。
また、左右方向に連続した凹曲面を有する正面部８ａにより、スプレッダ２８からボウル面８の左右方向に広がるように吐水される洗浄水が、ボウル面８の外部へ飛び出すことを防止することができる。
【００４７】
また、本実施形態による小便器１においては、左右方向の斜め上方まで広がるように吐水された洗浄水が、下方に向けて後方に向かって傾斜するボウル面８の正面部８ａに沿って流下するので、左右方向の斜め上方へ向かう洗浄水の勢いを弱めて、洗浄水の左右方向の広がりを抑制することができ、洗浄水がボウル面８の外部へ飛び出すことを防止することができる。したがって、ボウル面８を広範囲にわたって洗浄することができると共に、洗浄水の飛び出しを防止できる。
【００４８】
また、本実施形態による小便器１においては、正面部８ａは、ボウル面８の上端８ｄから下方に向けて徐々に後退して形成されると共に、連続的に曲率半径が小さくなるように形成されているので、下方に向かうにつれて徐々にボウル面の左右方向の幅が小さくなり、従来に比べて使用者がボウル面８に近い位置に近づきやすくなり、使用者の尿が床に垂れて床を汚す汚垂れを生じさせにくくなり、使用者が不快な思いをすることを防ぐことができる。
また、正面部８ａは、ボウル面８の上端８ｄから下方に向けて徐々に後退して形成されると共に、連続的に曲率半径が小さくなるように形成されているので、使用者の局部を、周囲の他人からより見えにくくすることができる。
【００４９】
また、本実施形態による小便器１においては、使用者の尿が当たりやすいボウル面８の下方において、ボウル面８の外部への尿跳ねをより確実に防止することができる。
また、ボウル面８の左右両端部８ｂ、８ｃが前方に突出するように形成されているので、使用者の局部を、周囲の他人から見えにくく遮蔽することができる。
【００５０】
また、本実施形態による小便器１においては、ボウル面８は、ボウル面８の上端８ｄから少なくとも２００ｍｍの範囲において、正面部８ａのみから形成されるので、特に使用者の局部を把持する手や腕が、従来のようにボウル面の側面部に接触することがないため、従来に比べて使用者がボウル面８の正面部８ａに近い位置に近づきやすくなっている。
【００５１】
また、本実施形態による小便器１においては、ボウル面８の上方領域の正面部８ａは、水平断面において、左右両端８ｂ、８ｃ近傍の接線の前方側が外側に開くように形成されているので、使用者が、自身の体の前側をボウル面８の左右両端８ｂ、８ｃに接触することなく、ボウル面８の正面部８ａに近づけやすくなっている。
【符号の説明】
【００５２】
１    小便器
８    ボウル面
８ａ  正面部
８ｂ  左側端部
８ｃ  右側端部
８ｄ  上端
８ｅ  中央部
８ｆ  先端
８ｇ  シングルＲ領域
８ｈ  複合Ｒ領域
８ｉ  円弧形状部分
８ｊ  直線部分
８ｋ  側面部
２８  スプレッダ
Ａ    洗浄水の流れ
Ｂ    洗浄水の流れ
Ｌ    接線
Ｌ１  距離
Ｌ２  距離
Ｌ３  距離
Ｌ４  距離
Ｒ１  曲率半径
Ｒ２  曲率半径
【図１】
2015190249.tif 000003
【図２】
2015190249.tif 000004
【図３】
2015190249.tif 000005
【図４】
2015190249.tif 000006
【図５】
2015190249.tif 000007
【図６】
2015190249.tif 000008
【図７】
2015190249.tif 000009
【図８】
2015190249.tif 000010
【図９】
2015190249.tif 000011
【図１０】
2015190249.tif 000012
【図１１】
2015190249.tif 000013
【図１２】
2015190249.tif 000014
【図１３】
2015190249.tif 000015
【図１４】
2015190249.tif 000016
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
洗浄水によりボウル面を洗浄する小便器であって、
小便を受ける上記ボウル面と、
上記ボウル面内の上方領域に設けられ、洗浄水を上記ボウル面の左右方向に広がるように吐水する吐水装置と、を有し、
上記ボウル面の上記吐水装置が設けられている上方領域は、使用者に対向する正面部のみから形成され、この正面部は左右方向に連続した凹曲面で形成され、上記ボウル面の上方領域の正面部は、上記ボウル面の上端から下方に向けて徐々に後退して形成されると共に、連続的に曲率半径が小さくなるように形成されていることを特徴とする小便器。
【請求項２】
上記吐水装置は、上記ボウル面の左右方向の斜め上方まで広がるように洗浄水を吐水するよう構成され、
上記ボウル面の上方領域の正面部は、上記ボウル面の上端から下方に向けて後方に向かって傾斜して形成されている請求項１に記載の小便器。
【請求項３】
ボウル面は、下方に向かうにつれて左右両端部が前方に突出するように形成されている請求項１又は２に記載の小便器。
【請求項４】
上記ボウル面が上記正面部のみから形成される上記上方領域が上記ボウル面の上端から少なくとも２００ｍｍの範囲で形成されている請求項１乃至３の何れか１項に記載の小便器。
【請求項５】
上記ボウル面の上方領域の上記正面部は、水平断面において、左右両端近傍の接線の前方側が外側に開くように形成されている請求項１乃至４の何れか１項に記載の小便器。
【手続補正２】
【補正対象書類名】明細書
【補正対象項目名】０００８
【補正方法】変更
【補正の内容】
【０００８】
上記の目的を達成するために、本発明は、洗浄水によりボウル面を洗浄する小便器であって、小便を受ける上記ボウル面と、ボウル面内の上方領域に設けられ、洗浄水をボウル面の左右方向に広がるように吐水する吐水装置と、を有し、 ボウル面の吐水装置が設けられている上方領域は、使用者に対向する正面部のみから形成され、この正面部は左右方向に連続した凹曲面で形成され、上記ボウル面の上方領域の正面部は、上記ボウル面の上端から下方に向けて徐々に後退して形成されると共に、連続的に曲率半径が小さくなるように形成されていることを特徴としている。
このように構成された本発明においては、ボウル面は、吐水装置が設けられている上方領域において、使用者に対向する正面部のみから形成され、この正面部は左右方向に連続した凹曲面で形成され、従来のボウル面の側面部が設けられていないので、従来に比べて使用者がボウル面に近い位置まで近づきやすくすることができる。従って、使用者の尿が床に垂れて床を汚す汚垂れを生じさせにくくなり、使用者が不快な思いをすることを防ぐことができる。
また、ボウル面が、吐水装置が設けられている上方領域において、使用者に対向する正面部のみから形成され、この正面部は左右方向に連続した凹曲面で形成され、吐水により洗えない部分を生じていた従来のボウル面の側面部が設けられていないので、ボウル面の清掃性を向上させることができる。
また、左右方向に連続した凹曲面を有する正面部により、吐水装置からボウル面の左右方向に広がるように吐水される洗浄水が、ボウル面の外部へ飛び出すことを防止することができる。
また、ボウル面の上方領域の正面部は、ボウル面の上端から下方に向けて徐々に後退して形成されると共に、連続的に曲率半径が小さくなるように形成されているので、下方に向かうにつれて徐々にボウル面の左右方向の幅が小さくなり、従来に比べて使用者がボウル面に近い位置に近づきやすくなり、使用者の尿が床に垂れて床を汚す汚垂れを生じさせにくくなり、使用者が不快な思いをすることを防ぐことができる。
また、ボウル面の上方領域の正面部は、ボウル面の上端から下方に向けて徐々に後退して形成されると共に、連続的に曲率半径が小さくなるように形成されているので、使用者の局部を、周囲の他人からより見えにくくすることができる。
【手続補正３】
【補正対象書類名】明細書
【補正対象項目名】００１０
【補正方法】削除
【補正の内容】